【手続補正書】
【提出日】平成16年2月27日(2004.2.27)
【手続補正１】
【補正対象書類名】特許請求の範囲
【補正対象項目名】全文
【補正方法】変更
【補正の内容】
【特許請求の範囲】
【請求項１】
ワイヤレス通信ネットワーク(110)内で動作するワイヤレスターミナル(100)にデータコンテンツを得るための方法であって、
−  上記ワイヤレスターミナルから上記ワイヤレス通信ネットワークを経てネットワーク(120)へメッセージを送信してデータコンテンツを得、上記メッセージは、上記ネットワークにおいてデータ情報を含むリソースを指示するものであり、
−  上記データコンテンツに関連した１つ以上のデータパケットを、上記リソースからブロードキャストネットワーク(130)を経て上記ワイヤレスターミナルへ転送し、
−  受信したデータパケットを、上記データコンテンツを形成するデータパケットのリストと比較して、１つ以上の欠落データパケットの考えられる存在を識別し、上記リストは、上記ワイヤレスターミナルにこれを得ることにより上記ターミナルに対して構成され、そして
−  欠落データパケットが識別された場合にその欠落データパケットの少なくとも１つを得るために付加的なメッセージを形成する、
という段階を備えた方法。
【請求項２】
上記付加的なメッセージは、ブロードキャストサーバー(112)へ送信される請求項１に記載の方法。
【請求項３】
ブロードキャストサーバー(112)は、サイトデータベースからの欠落データパケットの少なくとも１つをチェックし、上記データパケットは、上記ワイヤレスターミナルへブロードキャストされ、上記パケットがデータベースに記憶されていない場合に、上記ブロードキャストサーバーは、上記ネットワーク(120)からデータパケットを検索し、そしてデータパケットは、上記ネットワークから上記ブロードキャストサーバー及び上記サイトデータベースの少なくとも一方へデータパケットが受信された後に上記ワイヤレスターミナルへブロードキャストされる請求項２に記載の方法。
【請求項４】
上記ワイヤレス通信ネットワークは、上記ワイヤレスターミナルの位置情報を、上記メッセージと共に上記ネットワークへ転送し、そして上記ブロードキャストネットワークを経て１つ以上のデータパケットを転送する上記段階は、上記ブロードキャストネットワークの適切なブロードキャストセルを使用して実行される請求項１又は２に記載の方法。
【請求項５】
上記ワイヤレス通信ネットワークは、上記ワイヤレスターミナルの位置情報を、上記メッセージと共に上記ネットワークへ転送し、該位置情報は、好ましいブロードキャストサーバーへ上記メッセージをアドレスする請求項２又は４に記載の方法。
【請求項６】
上記ブロードキャストネットワーク、ブロードキャストサーバー及びワイヤレスターミナルのシステムに仮想プライベートネットワークが形成される請求項２に記載の方法。
【請求項７】
上記ワイヤレスターミナルは、受信したデータコンテンツを出力し、上記ワイヤレスターミナルのユーザは、出力情報においてリンクを選択し、上記ワイヤレスターミナルは、更に別のメッセージを発生し、該更に別のメッセージは、上記リンクのリソースを得るための上記リンクのアドレスを少なくとも含む請求項１ないし６のいずれかに記載の方法。
【請求項８】
上記データパケットの少なくとも１つは、上記ワイヤレスターミナルの条件アクセス要素が認識する識別子と共にブロードキャストされる請求項１ないし７のいずれかに記載の方法。
【請求項９】
上記メッセージは、複数のワイヤレスターミナルを識別し、そして上記データコンテンツは、上記メッセージで識別された複数のワイヤレスターミナルへブロードキャストされる請求項１ないし８のいずれかに記載の方法。
【請求項１０】
上記メッセージは、ＳＭＳメッセージ、及びパケットを含むメッセージの少なくとも１つで構成される請求項１ないし９のいずれかに記載の方法。
【請求項１１】
上記データコンテンツは、インターネットにおけるデータ情報を含む請求項１ないし１０のいずれかに記載の方法。
【請求項１２】
上記ネットワークは、インターネットを含む請求項１ないし１１のいずれかに記載の方法。
【請求項１３】
上記ブロードキャストネットワークは、デジタルビデオブロードキャストネットワークを含む請求項１ないし１２のいずれかに記載の方法。
【請求項１４】
ブロードキャストを行う前に、上記ブロードキャストサーバーは、データコンテンツを得る多数のターミナルの少なくとも１つを含み且つデータコンテンツを課金する条件に対するスレッシュホールドを有する請求項２に記載の方法。
【請求項１５】
上記データコンテンツは、データパケットの周期及びそれらパケットに対するリストとして転送される請求項１に記載の方法。
【請求項１６】
上記メッセージは、データパケットの形式、時間の関数、データコンテンツに対するサービスクオリティ(QOS)要求、使用可能な帯域巾の関数、同時ユーザの関数、上記ワイヤレス通信ネットワーク、上記ネットワーク及び上記ブロードキャストネットワークの少なくとも１つにおける負荷、及びリソースにアクセスする手段、のうちの少なくとも１つに基づいてある料金を形成する請求項１ないし１５のいずれかに記載の方法。
【請求項１７】
上記料金は、上記ワイヤレス通信ネットワークにおける上記ターミナルの料金に添付される請求項１６に記載の方法。
【請求項１８】
データコンテンツを得るためのワイヤレスターミナル(100)であって、ワイヤレス通信ネットワーク(110)内で動作するようにされたワイヤレスターミナル(100)において、
−  上記ワイヤレス通信ネットワーク(110)を経てネットワーク(120)におけるリソース(121)へメッセージをアドレスするために上記データコンテンツのアドレスを受信する入力ユーザインターフェイス(102)と、
−  データコンテンツを得るために上記ワイヤレスターミナルから上記ワイヤレス通信ネットワークを経て上記ネットワークへ上記メッセージを送信するための手段であって、上記メッセージが、上記ネットワークにおけるデータコンテンツを含むリソースを指示するものである手段と、
−  ブロードキャストネットワーク(130)を経て上記リソースから上記データコンテンツに関する１つ以上のデータパケットを受信するためのブロードキャストネットワークインターフェイス(107)と、
−  受信されたデータパケットを、上記データコンテンツを形成するデータパケットのリストと比較して、１つ以上の欠落データパケットの考えられる存在を識別するための手段であって、上記ワイヤレスターミナルで上記リストを得ることにより上記リストが上記ターミナルに対して構成されるような手段と、
−  欠落データパケットが識別された場合にそれら欠落データパケットの少なくとも１つを得るための付加的なメッセージを形成する手段と、
−  上記ブロードキャストネットワーク(130)を経て受信されそして上記ワイヤレスターミナル(100)に受信された上記データコンテンツを記憶するためのメモリ(104)と、
−  上記ワイヤレスターミナル(100)のユーザに上記データコンテンツをプレゼンテーションするための出力ユーザインターフェイス(101)と、
を備えたワイヤレスターミナル。
【請求項１９】
上記メッセージを送信するための上記手段は、第１ワイヤレスユニット(301)を含み、そして上記ブロードキャストネットワークインターフェイスは、第２ワイヤレスユニット(302)を含み、これら第１及び第２のワイヤレスユニットは、２つの取り外された装置(301, 302)を含む請求項１８に記載のワイヤレスターミナル。
【請求項２０】
上記第１ワイヤレスユニットは、移動電話を含み、そして上記第２ワイヤレスユニットは、ＤＶＢターミナルを含む請求項１９に記載のワイヤレスターミナル。
【請求項２１】
上記入力ユーザインターフェイス(102)が、出力されたデータコンテンツに基づく命令を受信する場合に、ブロードキャストサーバー(112)へ更に別のメッセージを送信するための手段(103)を更に備えた請求項１８に記載のワイヤレスターミナル。
【請求項２２】
ワイヤレス通信ネットワーク(110)内で動作するワイヤレスターミナル(100)へデータコンテンツを送信するためのブロードキャストサーバー(118)において、
−  データコンテンツを得るために上記ワイヤレスターミナルから上記ワイヤレス通信ネットワークを経てネットワーク(120)へ向けられたメッセージを受信する手段であって、上記メッセージが、上記ネットワークにおけるデータ情報を含むリソース(121)を指示するものであるような手段と、
−  上記リソースからブロードキャストネットワーク(130)を経て上記ワイヤレスターミナルへ上記データコンテンツに関する１つ以上のデータパケットを転送するための手段と、
−  上記データパケットのリストを上記ワイヤレスターミナルへ転送するための手段であって、上記リストが、１つ以上の欠落データパケットの考えられる存在を識別するためにデータコンテンツを形成するものであるような手段と、
−  欠落データパケットが識別された場合にそれら欠落データパケットの少なくとも１つを得るために付加的なメッセージを受信する手段と、
を備えたブロードキャストサーバー。
【請求項２３】
ワイヤレス通信ネットワーク(110)内で動作するワイヤレスターミナル(100)にデータコンテンツを得るためのシステムにおいて、
−  データコンテンツを得るために上記ワイヤレスターミナルから上記ワイヤレス通信ネットワークを経てネットワーク(120)へメッセージを送信するワイヤレスターミナルであって、上記メッセージが、上記ネットワークにおけるデータ情報を含むリソース(121)を指示するものであるようなワイヤレスターミナルと、
−  上記リソースからブロードキャストネットワークを経て上記ワイヤレスターミナルへ上記データコンテンツに関する１つ以上のデータパケットを転送するためのブロードキャストネットワーク(130)と、
−  受信されたデータパケットを、上記データコンテンツを形成するデータパケットのリストと比較して、１つ以上の欠落データパケットの考えられる存在を識別するための手段であって、上記ワイヤレスターミナルで上記リストを得ることにより上記リストが上記ターミナルに対して構成されるような手段と、
−  欠落データパケットが識別された場合にそれら欠落データパケットの少なくとも１つを得るために付加的なメッセージを形成する手段と、
を備えたシステム。
【請求項２４】
上記データコンテンツは、インターネットデータ情報を含み、上記ワイヤレス通信ネットワーク(110)は、移動ネットワークを含み、上記ネットワーク(120)は、インターネットを含み、そして上記ブロードキャストネットワーク(130)は、デジタルビデオブロードキャストネットワークを含む請求項２３に記載のシステム。